(57)【要約】【課題】  表示部に表示した文字列の中から任意の範囲を指定する際に、指定する範囲が広くても、少ない操作回数で指定することができる携帯端末装置を提供する。【解決手段】  テンキー６ａを有する操作部６と、操作部から入力される文字列を表示する表示部４と、表示部に出力した文字列の任意の範囲についてその最初と最後の文字のそれぞれの行数及び列数が前記テンキーから入力された場合に、この範囲を操作の対象として指定するように制御する制御部１４とを備えるようにした。【効果】  表示部に表示した文字列の中から任意の範囲を指定する際に、指定する範囲が広くても、少ない操作回数で指定することができる。【選択図】      図１
2005165399.tif 000002
【特許請求の範囲】
【請求項１】
テンキーを有する操作部と、
前記操作部から入力される文字列を表示する表示部と、
前記表示部に出力した文字列の任意の範囲についてその最初と最後の文字のそれぞれの行数及び列数が前記テンキーから入力された場合に、この範囲を操作の対象として指定するように制御する制御部と
を備えたことを特徴とする携帯端末装置。
【請求項２】
前記操作部は方向指定キーを備えると共に、
前記制御部は、前記表示部に出力した文字列の任意の範囲についてその最初と最後の文字のそれぞれの行数及び列数が前記テンキーから入力される際に、前記方向指定キーが操作された場合には、この方向指定キーの操作により指定された方向に文字列をスクロールさせるよう制御を行なうことを特徴とする請求項１に記載の携帯端末装置。
【請求項３】
前記表示部は、前記操作部から入力される文字列を前記表示部の所定の領域内に表示すると共に、この所定の領域外に文字列中の各文字に対応する行数と列数を表示することを特徴とする請求項１記載の携帯端末装置。
【請求項４】
前記制御部は、前記方向指定キーの操作により指定された方向に前記表示部の文字列をスクロールさせる場合に、前記所定の領域外に表示される行数と列数を文字列に対応してスクロールさせるよう制御を行なうことを特徴とする請求項３に記載の携帯端末装置。
【請求項５】
前記制御部は、前記表示部に出力した文字列の任意の範囲についてその最初の文字又は最後の文字のいずれかの行数又は列数が前記テンキーから入力された場合に、この入力された行数又は列数に属する全ての文字を他の行とは異なる表示方法で表示させるよう制御することを特徴とする請求項１ないし請求項４のいずれか一に記載の携帯端末装置。
【発明の詳細な説明】
【技術分野】
【０００１】
本発明は、テンキー等の操作部とＬＣＤ（液晶ディスプレイ）等の表示部を備えて、操作部から入力した文字を表示部に表示させることができる携帯端末装置に関するものである。
【背景技術】
【０００２】
従来において、ＬＣＤ（液晶ディスプレイ）等の表示部及び操作部を備えて、この操作部から入力した文字を表示部に表示させることができる携帯端末装置があった（図１参照）。
【０００３】
このような携帯端末装置は、その操作部に「１」から「９」及び「０」の数字を入力するためのテンキーを有しており、このテンキーのそれぞれのキーには、このような数字以外にも、仮名文字や英字等のような文字の種類ごとに、それぞれ複数の文字が割当てられている。例えば、「２」のキーには、この数字以外に、仮名文字の「か」「き」「く」「け」「こ」や、英字の「Ａ」「Ｂ」「Ｃ」の文字が割当てられている。
【０００４】
そのため、このような携帯端末装置は、仮名文字を入力することができる「仮名文字入力モード」、英字を入力することができる「英字入力モード」等の入力モードの中からいずれかを選択した後に、その種類の文字を入力するようになっている。
【０００５】
そして、それぞれのキーに割当てられている複数の文字の順位に対応して、そのキーを所定の回数だけ押し込むことにより、表示部に表示させようとする文字を入力することができるようになっている。
【０００６】
このような携帯端末装置は、入力モードの選択を間違えたままでテンキーを操作すると、ユーザーが入力しようとした文字と異なる種類の文字が入力されてしまうため、間違えて入力した部分の文字を全て削除してから、改めて正しい入力モードを選択して文字を入力し直さなければならない。
【０００７】
そのため、入力モードの選択を間違えて文字入力の操作を行ったとしても、この文字を入力した際のテンキーの操作に対応するような、他の入力モードの文字に変換することができる機能を備えることにより、文字入力の操作効率を向上させた携帯端末装置があった（例えば、特許文献１参照）。  
【０００８】
一方、入力した文字を他の入力モードの文字に変換するような上記の機能と同様に、文字入力の操作効率を向上させることができるコピー・アンド・ペースト機能を備える携帯端末装置があった。
【０００９】
このコピー・アンド・ペースト機能は、表示部に表示している文字列の全体の中から、ユーザーの操作により指定された任意の範囲の文字列と同一の文字列を操作の対象として一時的に記憶（コピー）し、表示中の文字列の全体の中から、他の任意の場所を指定する操作が行なわれると、一時的に記憶した文字列を、この場所に貼りつける（ペーストする）機能である。
【００１０】
このようなコピー・アンド・ペースト機能を利用するときの一連の操作の中で、文字列の全体の中から任意の範囲を以後の操作の対象として指定する操作は、文字入力の操作中に、コピー・アンド・ペースト機能と異なる他の機能を利用するような場合にも、頻繁に用いられる操作である。
【００１１】
そして、文字列の全体の中から任意の範囲の文字列を指定する操作は、操作部における十字キー等の方向指定キーにより、表示部中のカーソルを移動させて、指定する範囲の最初と最後の文字を指定することにより範囲選択を行なっている。
【００１２】
そして、図１４に示すように、表示部に表示された画面１中の文字列の中から、任意の範囲がその最初と最後の文字により指定されると、この指定された範囲は反転表示するようになっている。
【特許文献１】特開平２００２−３６６２８８号公報
【発明の開示】
【発明が解決しようとする課題】
【００１３】
しかしながら、上記のような従来の携帯端末装置のコピー・アンド・ペースト機能は、文字列の中から指定しようとする範囲が広いような場合には、十字キー等の方向指定キーによるカーソルの移動の操作回数が多くなってしまうという問題があった。
【００１４】
そこで本発明は、上記問題点に鑑みて、表示部に表示した文字列の中から任意の範囲を指定する際に、指定する範囲が広くても、少ない操作回数で指定することができる携帯端末装置を提供することを課題とするものである。
【課題を解決するための手段】
【００１５】
上記課題を解決するために、本発明の携帯端末装置は、
テンキーを有する操作部と、
前記操作部から入力される文字列を表示する表示部と、
前記表示部に出力した文字列の任意の範囲についてその最初と最後の文字のそれぞれの行数及び列数が前記テンキーから入力された場合に、この範囲を操作の対象として指定するように制御する制御部と
を備えたことを特徴とするものである。
【００１６】
また、本発明の携帯端末装置は、
前記操作部は方向指定キーを備えると共に、
前記制御部は、前記表示部に出力した文字列の任意の範囲についてその最初と最後の文字のそれぞれの行数及び列数が前記テンキーから入力される際に、前記方向指定キーが操作された場合には、この方向指定キーの操作により指定された方向に文字列をスクロールさせるよう制御を行なうことを特徴とするものである。
【００１７】
また、本発明の携帯端末装置は、前記表示部は、前記操作部から入力される文字列を前記表示部の所定の領域内に表示すると共に、この所定の領域外に文字列中の各文字に対応する行数と列数を表示することを特徴とするものである。
【００１８】
また、本発明の携帯端末装置は、前記制御部が、前記方向指定キーの操作により指定された方向に前記表示部の文字列をスクロールさせる場合に、前記所定の領域外に表示される行数と列数を文字列に対応してスクロールさせるよう制御を行なうことを特徴とするものである
【００１９】
また、本発明の携帯端末装置は、前記制御部は、前記表示部に出力した文字列の任意の範囲についてその最初の文字又は最後の文字のいずれかの行数又は列数が前記テンキーから入力された場合に、この入力された行数又は列数に属する全ての文字を他の行とは異なる表示方法で表示させるよう制御することを特徴とするものである。
【発明の効果】
【００２０】
このような携帯端末装置によれば、表示部に表示した文字列の中から任意の範囲を指定する際に、指定する範囲が広くても、少ない操作回数で指定することができる。
【発明を実施するための最良の形態】
【００２１】
以下、本発明に係る携帯端末装置の実施の形態について、図面に基づいて具体的に説明する。図１ないし図１３は、本発明の一実施の形態に係る携帯電話機２（携帯端末装置に相当）について説明するために参照する図である。
【００２２】
図１に示すように、携帯電話機２は、従来の携帯端末装置と同様に、表示部４及び操作部６を備えており、操作部６にはテンキー６ａ、方向指定キーとしての十字キー６ｂ、フックオフキー６ｃ及びフックオンキー６ｄが配置されている。
【００２３】
図２は、この携帯電話機２の回路構成を示すブロック図である。携帯電話機２は、表示部４及び操作部６以外に、無線による通信を行なう通信部８、音声処理を行なうオーディオ部１０、記憶部１２、及びこれらを制御する制御部１４を備えている。
【００２４】
また、オーディオ部１０には、スピーカー１０ａ及びマイクロホン１０ｂが接続されている。ここで、通信部８、オーディオ部１０、スピーカー１０ａ、及びマイクロホン１０ｂは、従来の携帯電話機と同様に動作するものであるため、その説明は省略する。
【００２５】
図３に示すように、記憶部１２には、コピー文字列格納バッファ１２ａ、コピー始点行数格納バッファ１２ｂ、コピー始点列数格納バッファ１２ｃ、コピー終点行数格納バッファ１２ｄ、コピー終点列数格納バッファ１２ｅ、入力文字列格納バッファ１２ｆ、入力文字列表示属性格納バッファ１２ｇの記憶領域が設けられている。
【００２６】
入力文字列格納バッファ１２ｆは、テンキー６ａの操作により入力された文字列を記憶するようになっていて、この入力文字列格納バッファ１２ｆに記憶されている文字列が表示部４に表示されるようになっている。
【００２７】
また、入力文字列表示属性格納バッファ１２ｇは、表示部４に表示している文字列について、その文字ごとの属性を順番に記憶するようになっている。例えば、表示部４に全角で通常に表示されている文字に対しては、この文字の属性として「００」が設定され、全角で反転表示されている場合には、「ＦＦ」が設定されるようになっている。
【００２８】
そして、コピー始点行数格納バッファ１２ｂ、コピー始点列数格納バッファ１２ｃ、コピー終点行数格納バッファ１２ｄ、及びコピー終点列数格納バッファ１２ｅは、後述するように、ユーザーが、表示部４に表示中の文字列から任意の範囲を指定する際に、文字列の全体に対するこの任意の範囲の最初の文字（始点）及び最後の文字（終点）のそれぞれの行数及び列数を入力したときに、これらを記憶するようになっている。
【００２９】
また、コピー文字列格納バッファ１２ａは、後述する制御部１４の制御動作により、表示部４に表示中の文字列からユーザーが指定した任意の範囲の文字列を記憶するようになっている。
【００３０】
次に、図４ないし図６のフローチャートに基づいて、表示部４に表示された文字列の中から、複写する範囲を指定する操作が行なわれたときの制御部１４の制御動作を説明する。また、ユーザーの操作及び制御部１４の制御動作に対応して表示部４に表示される文字列出力画面２０を、図７ないし図１３に基づいて説明する。
【００３１】
ユーザーがテンキー６ａから文字を入力すると、図３に示すように、これらの文字は、入力文字列格納バッファ１２ｆに記憶される。また、図７に示すように、文字入力の操作中は、表示部４に文字列出力画面２０が表示されていて、入力文字列格納バッファ１２ｆに記憶されている文字列は、この文字列出力画面２０の中段部２０ａに表示されるようになっている。
【００３２】
そして、従来の携帯端末装置と同様に、入力した文字列が長い場合には、この文字列の全体を、文字列出力画面２０の中段部２０ａ内に納まるように表示することができないため、中段部２０ａには文字列の一部だけが表示されて、表示されていない他の部分はスクロールさせて表示させることができるようになっている。
【００３３】
このように、表示部４の文字列出力画面２０に文字列が表示されているときに、ユーザーの操作によりコピー・アンド・ペースト機能が起動すると（図４のステップＳ１）、制御部１４は、中段部２０ａの略中央の位置に表示されていた文字列を、図８に示すような中段部２０ａの第１領域２０ｂの位置に移動させるようになっている。
【００３４】
また、制御部１４は、第１領域２０ｂに表示される文字列中の各文字に対応する行数を、この第１領域２０ｂと横方向で互いに隣り合う第２領域２０ｃに表示させると共に、各文字に対応する列数を、第１領域２０ｂと上下方向で互いに隣り合う第３領域２０ｄに表示させるようになっている。
【００３５】
そして、文字列出力画面２０における中段部２０ａの下側に位置する下段部２０ｅには、案内表示が出力されるようになっている。この時点での案内表示は、ユーザーに、第１領域２０ｂに表示されている文字列の中から、複写する範囲の最初の文字の行数を指定するように促す内容になっている。
【００３６】
次に、ユーザーが、文字列の中から複写する範囲を指定するために、この範囲の最初の文字の行数を、第２領域２０ｃに表示される行数に基づいて、テンキー６ａから入力すると（図４のステップＳ２）、制御部１４は、記憶部１２のコピー始点行数格納バッファ１２ｂに、この行数を記憶させるようになっている（図４のステップＳ５）。
【００３７】
また、図４のステップＳ２で行数を入力する前に、テンキー６ａで上下方向を指定する操作を行なった場合には（ステップＳ３のＹＥＳ）、第1領域２０ｂの文字列を指定した方向にスクロールさせることができるようになっている（ステップＳ４）。そして、第１領域２０ｂの文字列を上下方向にスクロールさせると、第２領域２０ｃに表示されている行数は、第１領域２０ｂの文字列に対応して、同時にスクロールするようになっている。
【００３８】
ここでは、ステップ２において、ユーザーの操作により、「０１」が入力されたものとする。
【００３９】
次に、制御部１４は、文字列出力画面２０の第１領域２０ｂに表示されている文字列について、ユーザーが指定した行数に属する文字を、他の行の文字とは異なる色で表示させるようになっている（ステップＳ５）。
【００４０】
ここではステップＳ２において、「０１」が入力されたので、図９に示すように、第１領域２０ｂにおける破線で囲んだ範囲の「０１」行目の文字を、他の行と異なる色で表示させるようになっている。また、文字列出力画面２０の下段部２０ｅには、ユーザーに対して、複写する範囲の最初の文字の列数を指定するように促す案内表示が出力されるようになっている。
【００４１】
そして、ユーザーが、文字列の中から複写しようとする範囲の最初の文字の列数を入力すると（図４のステップＳ６）、制御部１４は、記憶部１２のコピー始点列数格納バッファ１２ｃに、この列数を記憶させるようになっている（ステップＳ９）。
【００４２】
また、上記ステップＳ２で行数を入力する前に、第１領域２０ｂの文字列をスクロールさせることができたのと同様に、ステップＳ６で列数を入力する前にも、第１領域２０ｂの文字列をスクロールさせることができるようになっている（ステップＳ６のＮＯ、ステップＳ７のＹＥＳ、ステップＳ８）。
【００４３】
ここでは、ステップＳ６において、ユーザーの操作により、「８」が入力されたものとする。
【００４４】
次に、制御部１４は、文字列出力画面２０の第１領域２０ｂに表示されている文字列について、ステップＳ５において異なる色で表示した文字を元の色に戻すと共に、記憶部１２のコピー始点行数格納バッファ１２ｂ及びコピー始点列数格納バッファ１２ｃで指定される文字を、反転表示させるようになっている（ステップＳ９）。
【００４５】
ここでは、コピー始点行数格納バッファ１２ｂ及びコピー始点列数格納バッファ１２ｃに、それぞれ「０１」及び「８」が記憶されているので、図１０に示すように、第１領域２０ｂに表示される文字列の「０１」行目「８」列目の文字を反転表示させるようになっている。また、文字列出力画面２０の下段部２０ｅには、複写する範囲の最後の文字の行数を指定するように促す案内表示が出力されるようになっている。
【００４６】
次に、第１領域２０ｂに表示される文字列の中から、複写する範囲の最後の文字を指定する操作は、図４のステップＳ２ないしステップＳ９で最初の文字を指定したのと同様に、最後の文字の行数及び列数を入力して指定するようになっている（図５のステップＳ１０ないしステップＳ１６）。
【００４７】
ここでは、ステップＳ１０において、ユーザーの操作により、複写する範囲の最後の文字の行数として、「０５」が入力されたものとする。ここで、指定する最後の文字が「０５」行目にあるときのように、文字列出力画面２０の第１領域２０ｂに、現在その文字が表示されていないような場合には、ステップＳ１１及びステップＳ１２のスクロールの操作を行なって、図１１に示すように、この「０５」行目を表示させてから、図５のステップＳ１０の行数の入力を行なうことができるようになっている。
【００４８】
そして、図５のステップＳ１０において、行数が入力されると、制御部１４は、この行数に属する文字を、他の行と異なる色で表示させると共に、図４のステップＳ４及びステップＳ６で指定した最初の文字から、ステップＳ１０で指定した行の直前の行までを反転表示させるようになっている（ステップＳ１３）。
【００４９】
ここでは、図５のステップＳ１０において、「０５」が入力されたので、図１２に示すように、破線で囲んだ範囲の「０５」行目の文字を、他の行と異なる色で表示させると共に、「０４」行目までを反転表示させるようになっている。
【００５０】
そして、次に図５のステップ１４において、列数が入力されると、制御部１４は、ステップＳ１３において異なる色で表示した文字を、指定された列数の文字まで反転表示に切換えさせると共に、指定した列数より後の文字を元の色で通常に表示させるようになっている（ステップＳ１７）。
【００５１】
ここでは、ステップＳ１４において、複写する範囲の最後の文字の列数として、「５」が入力されたものとする。制御部１４による図６のステップＳ１７の動作により、図１３に示すように、文字列出力画面２０の第１領域に表示される文字列は、「０１」行目の「８」列目から、「０５」行目の「５」列目までが複写する範囲として反転表示されるようになっている。
【００５２】
次に、図６のステップ１８において、ユーザーが十字キー６ｂの中央部を押し込むことにより決定の操作を行なうと（ステップ１８のＹＥＳ）、制御部１４は、図３に示すように、指定した範囲の文字列を、記憶部１２のコピー文字列格納バッファ１２ａに記憶させるようになっている。
【００５３】
また、フックオンキー６ｄの操作が行なわれると（ステップ１８のＮＯ、ステップＳ１９のＹＥＳ）、指定した範囲の文字列をコピー文字列格納バッファ１２ａに記憶させることなく、処理動作を終了するようになっている。
【００５４】
このような携帯電話機２によれば、表示部４に表示した文字列の中から任意の範囲を操作の対象として指定する際に、指定する範囲が広くても、少ない操作回数で指定することができる。
【００５５】
さらに、上述したような、行を指定した後に列を指定する手法により、文字列中の任意の一ヶ所を特定した上で、所定のキーを押下することにより、コピー文字列格納バッファ１２ａに記憶される文字列を貼りつけることも可能である。
【００５６】
なお、本実施の形態においては、文字列出力画面２０に表示される文字列は、各行の８列目で改行するように表示されているが、この文字列出力画面２０の第１領域２０ｂに表示することができる８列目までの文字に続けて、９列目以降の文字を入力することができるようになっていてもよい。
【００５７】
このような場合には、図４ないし図６のフローチャートのステップＳ３、ステップＳ７、ステップＳ１１及びステップＳ１５において、横方向のスクロールを指示することができるようにすることにより、各行の９列目以降の文字を第１領域２０ｂに表示させると共に、ステップＳ６及びステップＳ１４で指定することができるようになる。
【００５８】
また、本実施の形態においては、コピー・アンド・ペースト機能を利用して、文字列の中から複写する範囲を指定するような操作及び携帯電話機２の動作に沿って本発明を説明したが、本発明は、文字列の中から指定した任意の範囲を切り取るカット機能等のように、コピー・アンド・ペースト機能以外の機能を利用する場合であっても、適用することができる。
【００５９】
また、本実施の形態においては、文字列の中から任意の範囲を指定する際に、この範囲の最初の文字、又は最後の文字のそれぞれについて、行数を入力してから列数を入力するようになっていたが、列数を入力してから行数を入力するようになっていてもよい。
【００６０】
また、本実施の形態においては、携帯電話機２に本発明を適用した場合について説明したが、ＰＤＡ（Ｐｅｒｓｏｎａｌ  Ｄｉｇｉｔａｌ  Ａｓｓｉｓｔａｎｔ）等のような他の携帯端末装置にも本発明を適用することができることはいうまでもない。
【図面の簡単な説明】
【００６１】
【図１】本発明の一実施の形態に係る携帯電話機２を示す斜視図である。
【図２】図１に示す携帯電話機２の回路構成を示すブロック図である。
【図３】図２に示す記憶部１２の記憶領域を示す図である。
【図４】図２に示す制御部１４の動作を示すフローチャートである。
【図５】図２に示す制御部１４の動作を示すフローチャートである。
【図６】図２に示す制御部１４の動作を示すフローチャートである。
【図７】図１に示す表示部４に表示される文字列出力画面２０を示す図である。
【図８】図１に示す表示部４に表示される文字列出力画面２０を示す図である。
【図９】図１に示す表示部４に表示される文字列出力画面２０を示す図である。
【図１０】図１に示す表示部４に表示される文字列出力画面２０を示す図である。
【図１１】図１に示す表示部４に表示される文字列出力画面２０を示す図である。
【図１２】図１に示す表示部４に表示される文字列出力画面２０を示す図である。
【図１３】図１に示す表示部４に表示される文字列出力画面２０を示す図である。
【図１４】従来の画面１であって、文字列中の範囲の指定が行なわれている状態を示す図である。
【符号の説明】
【００６２】
１  画面
２  携帯電話機
４  表示部
６  操作部
６ａ  テンキー
６ｂ  十字キー
６ｃ  フックオフキー
６ｄ  フックオンキー
８  通信部
１０  オーディオ部
１０ａ  スピーカー
１０ｂ  マイクロホン
１２  記憶部
１２ａ  コピー文字列格納バッファ
１２ｂ  コピー始点行数格納バッファ
１２ｃ  コピー始点列数格納バッファ
１２ｄ  コピー終点行数格納バッファ
１２ｅ  コピー終点列数格納バッファ
１２ｆ  入力文字列格納バッファ
１２ｇ  入力文字列表示属性格納バッファ
１４  制御部
２０  文字列出力画面
２０ａ  中段部
２０ｂ  第１領域
２０ｃ  第２領域
２０ｄ  第３領域
２０ｅ  下段部
【図１】
2005165399.tif 000003
【図２】
2005165399.tif 000004
【図３】
2005165399.tif 000005
【図４】
2005165399.tif 000006
【図５】
2005165399.tif 000007
【図６】
2005165399.tif 000008
【図７】
2005165399.tif 000009
【図８】
2005165399.tif 000010
【図９】
2005165399.tif 000011
【図１０】
2005165399.tif 000012
【図１１】
2005165399.tif 000013
【図１２】
2005165399.tif 000014
【図１３】
2005165399.tif 000015
【図１４】
2005165399.tif 000016